(57)【要約】【課題】洗い場防水パンの踏み外しを防止して洗い場防水パンを容易に設置できる洗い場防水パン設置用吊架台の提供。【解決手段】洗い場防水パン３０を設置するための洗い場防水パン設置用吊架台２０は、建物躯体の横長部材１の間に架けられる吊架台本体２１の洗い場防水パン設置領域Ｓ内にボルトねじ込み可能に複数個の雌ねじ部２２が分散して設けられ、各雌ネジ部２２にねじ込まれるボルト部２４及び上端の受載部２５を有する支持具２３を備え、各支持具２３のねじ込み調節で吊架台本体２１から受載部２５までの高さ寸法Ｈを調節可能にした。【選択図】図１
2008240254.tif 000002
【特許請求の範囲】
【請求項１】
洗い場防水パンを設置するための吊架台において、建物躯体の横長部材間に架けられる吊架台本体にボルトねじ込み可能に複数個の雌ねじ部が分散して設けられ、各雌ネジ部にねじ込まれるボルト部及び上端の受載部を有する支持具を備え、各支持具のねじ込み調節で吊架台本体から受載部までの高さ寸法を調節可能にしたことを特徴とする洗い場防水パン設置用吊架台。
【請求項２】
前記支持具の受載部は上面の受載面が前記ボルト部の軸径よりも大径に形成されている請求項１に記載の洗い場防水パン設置用吊架台。
【請求項３】
請求項１又は２に記載の洗い場防水パン設置用吊架台に洗い場防水パンを設置する洗い場防水パンの設置構造であって、前記洗い場防水パンは、防水パンの裏面側に分散して設けた補強リブで支持される載置用プレートが設けられ、該載置用プレートを前記受載部の上面よりも広い面積とした洗い場防水パンの設置構造。
【請求項４】
前記受載部の上面と前記載置用プレートの底面とを平坦に形成した請求項３に記載の洗い場防水パンの設置構造。
【発明の詳細な説明】
【技術分野】
【０００１】
本発明は、建築躯体の横長部材（例えば、梁や土台等）の間に架けられる洗い場防水パン設置用吊架台、並びに、該洗い場防水パン設置用吊架台に洗い場防水パンを設置した洗い場防水パンの設置構造に関する。
【背景技術】
【０００２】
従来の洗い場防水パン設置用吊架台及び洗い場防水パンの設置構造は、特許文献１及び２に記載されたものがある。
【特許文献１】特開２００１−１２０４５４号公報
【特許文献２】特開２００１−２４１０７５号公報
【０００３】
特許文献１に記載された洗い場防水パンの設置構造は、上面を平坦にした洗い場用架台に、下面側に洗い場支持部を設けた洗い場防水パン（洗い場部）がボルトで取付けられている。（特許文献１の段落［０００９］［００１０］及び同図１参照）。
【０００４】
特許文献２に記載された洗い場防水パンの設置構造は、吊架台が両端側の吊具で土台の間に架けられており、洗い場防水パン（設備ユニット）に下面側からナットにねじ込んで高さ調節できるボルトが垂下されている（特許文献２の段落［００１５］及び同図１，２参照）。
【発明の開示】
【発明が解決しようとする課題】
【０００５】
特許文献１に記載の洗い場防水パンの設置は、作業者が洗い場防水パンを持ち上げて洗い場支持部を洗い場用架台の上に載置するときに洗い場支持部を視認しにくい状態となるため、洗い場支持部が架台を踏み外して洗い場防水パンを落とし込む可能性がある。
【０００６】
特許文献２に記載の洗い場防水パンの設置は、作業者が洗い場防水パンを持ち上げてボルトを吊架台の上に載置するときにボルトを視認しにくい状態となるため、ボルトが吊架台を踏み外して洗い場防水パンを落とし込む可能性がある。
【０００７】
そのため、従来の設置構造は、上記の踏み外しに注意しながら洗い場防水パンの載置作業を行う必要があり、作業者にとって大変であり、もし踏み外して落ち込んだときには洗い場防水パンを損傷させる等の事態が起こるため慎重に作業をする必要があった。
【０００８】
上記踏み外しを防止するためには、吊架台の幅寸法を非常に大きくすることが考えられる。しかし、幅寸法を非常に大きくした吊架台は、重量が非常に重くなり、製造コストを増大させると共に設置作業を難しくする新たな問題を招くことになる。
【０００９】
本発明は、上記問題を解決するために、洗い場防水パンの踏み外しを防止して洗い場防水パンを容易に設置できる洗い場防水パン設置用吊架台及び洗い場防水パンの設置構造の提供を目的とする。
【課題を解決するための手段】
【００１０】
洗い場防水パンの踏み外しを防止して洗い場防水パンを容易に設置できるようにするために請求項１記載の本発明が採用した手段は、洗い場防水パンを設置するための吊架台において、建物躯体の横長部材間に架けられる吊架台本体にボルトねじ込み可能に複数個の雌ねじ部が分散して設けられ、各雌ネジ部にねじ込まれるボルト部及び上端の受載部を有する支持具を備え、各支持具のねじ込み調節で吊架台本体から受載部までの高さ寸法を調節可能にしたことを特徴とする洗い場防水パン設置用吊架台である。なお、前記吊架台本体は梁部と梁部の両端側に設けた取着部とを備え、梁部の上面に取付けたナットで雌ねじ部を得ている。
【００１１】
洗い場防水パンを安定よく設置できるようにするために請求項２記載の本発明が採用した手段は、前記支持具の受載部は上面の受載面が前記ボルト部の軸径よりも大径に形成されている請求項１に記載の洗い場防水パン設置用吊架台である。
【００１２】
洗い場防水パンを容易に設置できるようにするために請求項３記載の本発明が採用した手段は、請求項１又は２に記載の洗い場防水パン設置用吊架台に洗い場防水パンを設置する洗い場防水パンの設置構造であって、前記洗い場防水パンは、防水パンの裏面側に分散して設けた補強リブで支持される載置用プレートが設けられ、該載置用プレートを前記受載部の上面よりも広い面積とした洗い場防水パンの設置構造である。
【００１３】
洗い場防水パンを安定よく容易に設置できるようにするために請求項４記載の本発明が採用した手段は、前記受載部の上面と前記載置用プレートの底面とを平坦に形成した請求項３に記載の洗い場防水パンの設置構造である。
【発明の効果】
【００１４】
請求項１記載の本発明に係る洗い場防水パン設置用吊架台は、建物躯体の横長部材間に架けた吊架台本体の各雌ネジ部にねじ込んである各支持具に、洗い場防水パンの大きな面積の下面側を載置することができるので、各支持具から洗い場防水パンを踏み外して大きく落ち込ませることもなく、また、各支持具の高さ調節も下向きの作業となるため、楽に調節できる。その結果、本発明に係る洗い場防水パン設置用吊架台は、洗い場防水パンの踏み外しを防止して洗い場防水パンを容易に設置できる。
【００１５】
請求項２記載の本発明に係る洗い場防水パン設置用吊架台は、支持具の受載面の面積を大きくすることで洗い場防水パンを安定よく設置することができる。
【００１６】
請求項３記載の本発明に係る洗い場防水パンの設置構造は、洗い場防水パンの裏面側に分散して設けた載置用プレートの面積を、洗い場防水パン設置用吊架台の支持具の受載部の上面よりも広くしてあるため、載置用プレートの載置可能な領域を広くすることができ、仮に洗い場防水パン設置用吊架台の配置位置や、洗い場防水パンの配置位置に若干ズレが生じても、支持具の受載部に洗い場防水パンの載置用プレートを載置させることが可能となり、洗い場防水パンを容易に設置することができる。
【００１７】
請求項４記載の本発明に係る洗い場防水パンの設置構造は、洗い場防水パンを受載部の上面に安定して載置できると共に、仮置きした洗い場防水パンを摺動して本来の設置位置まで円滑に移動させることができ、且つ、受載部の上面に接着剤を塗布することで洗い場防水パンを安定よく接合して設置できる。また、該洗い場防水パンの設置構造は、受載部の一部が載置用プレートから外側にはみ出した状態で、洗い場防水パンを一時的に仮置きできるので、洗い場防水パンの仮置き可能な範囲を広げることが可能となり、従来の踏み外しに注意しながら洗い場防水パンの載置作業を行う必要もなくなり、作業者にとって設置作業を容易且つ確実にできる。
【発明を実施するための最良の形態】
【００１８】
本発明に係る洗い場防水パン設置用吊架台（以下、「本発明吊架台」という。）及び本発明に係る洗い場防水パンの設置構造（以下、「本発明設置構造」という。）について実施の形態を示す図面に基いて説明する。
【００１９】
図１乃至図４は、本発明吊架台２０及び本発明設置構造１０の実施の形態を示すものである。図１は本発明吊架台２０及び本発明設置構造１０の主要部を拡大した正面断面図であって、図（Ａ）は洗い場防水パン３０が予定した設置位置に載置された状態を示すものであり、図（Ｂ）は洗い場防水パン３０が予定した設置位置から大きく外れて仮置きされた状態を示すものである。図２は建物躯体の横長部材１，１間に架設した本発明吊架台２０を斜め上方から見た斜視図である。図３は本発明吊架台２０に設置される洗い場防水パン３０を斜め下方から見たものであって一部を分解して示す斜視図である。図４は本発明吊架台２０の主要部を拡大した正面断面図である。
【００２０】
本発明設置構造１０は、建物躯体の横長部材１，１間に架設した本発明吊架台２０に洗い場防水パン３０を設置したものである。本発明吊架台２０は、図２に示す如く、建物躯体の向かい合う横長部材１，１間に架けられる吊架台本体２１の洗い場防水パン設置領域Ｓ内にボルトねじ込み可能に複数個の雌ねじ部２２が分散して設けられ、図１（Ａ）に示す如く、各雌ネジ部２２にねじ込まれるボルト部２４及び上端の受載部２５を有する支持具２３を備え、各支持具２３のねじ込み調節で吊架台本体２１から受載部２５までの高さ寸法Ｈを調節可能にし、各支持具２３に洗い場防水パン３０の下面側を載置するようにしてある。建物躯体の横長部材１は、本例では梁を適用しているが、建物基礎の上側に設けた土台（図示省略）を適用することもある。
【００２１】
前記吊架台本体２１は、図２に示す如く、横長部材からなる梁部２７と、梁部２７の両端側に溶接する等して設けられた取着部２６，２６とを備え、建物躯体の各横長部材１に取着部２６を取着して梁部２７を水平に架けるようにしてある。梁部２７は、図１（Ａ）に示す如く、本例では上板２７ａ及び下板２７ｂを有する内側空洞の金属製角パイプ材で幅寸法Ｗ（図２参照）が５０〜７０ｍｍ程度のものを適用しているが、他にチャンネル材等を適用することもできる。各取着部２６は、金属板を略Ｌ字形状に折曲げる等して形成したものであって、横長部材１の内側面に対応する垂直板２６ａと、垂直板２６ａに直角で横長部材１の上面に対応する水平板２６ｂとを備え、横長部材１にビス等で安定よく取着される。
【００２２】
前記吊架台本体２１の雌ねじ部２２は、図２に示す如く、本例では梁部２７の両側寄りの２箇所に設けられ、図１（Ａ）に示す如く、ナットを梁部２７の上面に溶接等して取付けて得ているが、他に、図４に示す如く、吊架台本体２１にバーリング加工して形成した円筒４０の内側面に雌ねじ４０ａを刻設したものを適用して得ることもある。
【００２３】
前記支持具２３は、図１に示す如く、下側のボルト部２４と上端の受載部２５とを備えている。ボルト部２４は、本例では、受載部２５の底面に溶接した頭部２４ａと、軸部２４ｂと、軸部２４ｂに刻設された雄ねじ部２４ｃとからなる六角ボルト（例えば、Ｍ１６）を適用しているが、頭部２４ａを省略したずん切ボルトを適用することもある。受載部２５は、本例では円盤状のプレートを適用しているが、他に、矩形等の多角形状のプレート等でもよい。本発明吊架台２０は、支持具２３の受載部２５の上面に形成した受載面２５ａがボルト部２４の軸部２４ｂの軸径よりも大径（ボルト部２４に頭部２４ａがあるときには頭部２４ａの外径よりも更に大径）（例えば、直径が７０〜１００ｍｍ）となっており、大きな面積を有する受載面２５ａに洗い場防水パン３０を安定よく載置できるので、これにより、洗い場防水パン３０の設置を安定させることができる。
【００２４】
前記本発明吊架台２０は、図１に示す如く、本例では吊架台本体２１の梁部２７の上板２７ａにナットで雌ねじ部２２を設けることで、上側から支持具２３のボルト部２４を雌ねじ部２２にねじ込み可能にすると共に、上板２７ａ及び下板２７ｂのうちの雌ねじ部２２の下側となる箇所に開口２７ｃ（バーリング加工して雌ねじ部２２を設けるときには開口２７ｃは雌ねじ部となる）及び開口２７ｄを形成することで、ボルト部２４の雄ねじ部２４ｃを貫通させて長い寸法の雄ねじ部２４ｃを適用できるようにして、支持具２３の調節できる高さ寸法Ｈを大きくしてある。
【００２５】
前記洗い場防水パン３０は、図３に示す如く、上面に洗い場床面を形成する床面部３６の裏面側に細長板状の補強リブ３２を分散して格子状に設け、補強リブ３２で囲まれた下向き開口の凹部３３が多数形成されている。洗い場防水パン３０は、図１に示す如く、裏面側の載置箇所に、支持具２３の受載部２５の上面よりも広い面積（例えば，一辺が１５０〜２５０ｍｍの正方形）の載置用プレート３４を接着又はビス止め等で取り付け、補強リブ３２で支持される載置用プレート３４を、本発明吊架台２０の支持具２３に載置させるようにしてある。洗い場防水パン３０は、支持具２３の受載部２５に載置用プレート３４の中央を載置させることを標準の施工仕様とするが、建物躯体の横長部材１，１間に本発明吊架台２０を架設したときに生じる施工誤差や、建物躯体との取り合い関係等で洗い場防水パン３０を標準位置より若干変更した位置に配置することがあっても、広い面積の載置用プレート３４の中央から若干外れた位置を支持具２３の受載部２５に載置させることが可能となる。
【００２６】
本発明設置構造１０は、図１に示す如く、本発明吊架台２０の支持具２３の受載面２５ａと洗い場防水パン３０に設けた載置用プレート３４の底面とを平坦に形成することで、洗い場防水パン３０を受載面２５ａに安定して載置できると共に、仮置きした洗い場防水パン３０を摺動して本来の設置位置まで円滑に移動させることができ、且つ、受載面２５ａに接着剤を塗布することで洗い場防水パン３０を安定よく接合して設置できる。また、本発明設置構造１０は、図１（Ｂ）に示す如く、受載面２５ａの一部が載置用プレート３４から外側にはみ出した状態で、洗い場防水パン３０を一時的に仮置きできるので、洗い場防水パン３０の仮置き可能な範囲を広げることが可能となり、従来の踏み外しに注意しながら洗い場防水パン３０の載置作業を行う必要もなくなり、作業者にとって設置作業を容易且つ確実にできる。
【００２７】
本発明設置構造１０は、載置用プレート３４をその底面が補強リブ３２の先端３２ａよりも下方へ突出する位置（図１参照）又は該先端３２ａと略同一の高さ位置（図示省略）になるように取付けることで、図１（Ｂ）に示す如く、載置用プレート３４が受載面２５ａから外側にはみ出した状態で仮置きされたとしても、受載面２５ａ上で載置用プレート３４を摺動させる等して洗い場防水パン３０を本来の設置位置まで簡単に移動させることができる。
【００２８】
前記載置用プレート３４は、本例では、その上面中央側が防水パン３１の凹部３３の中央に十字形状に設けた細長板状の支持リブ３５によっても支持されているので、板厚みを薄くできる。なお、載置用プレート３４は、これ以外に、図示は省略するが、凹部３３にはめ込んで、載置用プレート３４の中心を支持リブ３５のうちの十字に交差した中心部分にボルト止めする等して、支持リブ３５だけで支持するようにしてもよい。
【００２９】
本発明吊架台２０に洗い場防水パン３０を設置する本発明設置構造１０の施工の一例としては、次の手順がある。先ず、梁１，１の所定位置に支持具２３を備えた本発明吊架台２０を架け渡して取り付ける。次に、作業者が洗い場防水パン３０を建築躯体の横長部材１，１の間に持ち上げて、洗い場防水パン３０を支持具２３に載置する。この際、本発明吊架台２０は、図１（Ｂ）に示すように、支持具２３の受載面２５ａの一部に載置用プレート３４の一部が重なる程度で仮置きしても、置いた状態のまま洗い場防水パン３０を水平に摺動させて位置を調節し、支持具２３の受載面２５ａに載置用プレート３４の予定載置箇所を載置させることができる。続けて、各支持具２３の高さを調節して洗い場防水パン３０のレベル調節を行う。各支持具２３の高さを調節は、梁１と洗い場防水パン３０との間に、高さを調節のための作業空間があるときには、この作業空間を利用して調節を行い、また、高さを調節のための作業空間がないときには、洗い場防水パン３０を持ち上げて調節を行う。
【図面の簡単な説明】
【００３０】
【図１】本発明吊架台２０及び本発明設置構造１０の実施の形態を示すものであって、本発明吊架台２０及び本発明設置構造１０の主要部を拡大した正面断面図であり、図（Ａ）は洗い場防水パン３０が予定した設置位置に載置された状態を示すものであり、図（Ｂ）は洗い場防水パンが予定した設置位置から大きく外れて仮置きされた状態を示すものである。
【図２】同実施の形態において、建物躯体の横長部材１，１間に架設した本発明吊架台２０を斜め上方から見た斜視図である。
【図３】同実施の形態において、本発明吊架台２０に設置される洗い場防水パン３０を斜め下方から見たものであって一部を分解して示す斜視図である。
【図４】同実施の形態において、本発明吊架台２０の主要部を拡大した正面断面図である。
【符号の説明】
【００３１】
１…建物躯体の横長部材  １０…本発明設置構造（洗い場防水パンの設置構造）
２０…本発明吊架台（洗い場防水パン設置用吊架台）  ２１…吊架台本体  
２２…雌ねじ部  ２３…支持具  ２４…ボルト部  ２５…受載部  ３０…洗い場防水パン
Ｓ…洗い場防水パン設置領域  Ｈ…寸法
【図１】
2008240254.tif 000003
【図２】
2008240254.tif 000004
【図３】
2008240254.tif 000005
【図４】
2008240254.tif 000006